(57)【要約】【課題】操作表示部に対するジョブの実行条件の設定操作の手間を軽減すると共に、操作表示部で消費される電力を低減可能な画像処理システム、画像処理装置、携帯端末、及びジョブ実行方法を提供すること。【解決手段】画像処理システム１００は、第１操作表示部１６、第１操作表示部１６における操作入力に応じてジョブの実行条件を設定する第１設定部１５１、及び携帯端末２０から送信される前記ジョブの実行条件を示す実行条件情報に基づいて前記ジョブの実行条件を設定する第２設定部１５３を備える画像形成装置１０と、第２操作表示部２３、前記実行条件情報を記憶する記憶部２６、及び第２操作表示部２３における操作入力に応じて記憶部２６に記憶されている前記実行条件情報を画像形成装置１０に送信する第１送信部２１５を備える携帯端末２０と、を備える。【選択図】図１
2016046658.tif 000002
【特許請求の範囲】
【請求項１】
画像処理装置と携帯端末とを備える画像処理システムであって、
前記画像処理装置が、第１操作表示部と、前記第１操作表示部における操作入力に応じてジョブの実行条件を設定する第１設定部と、前記携帯端末から送信される前記ジョブの実行条件を示す実行条件情報に基づいて前記ジョブの実行条件を設定する第２設定部とを備え、
前記携帯端末が、第２操作表示部と、前記実行条件情報を記憶する記憶部と、前記記憶部に記憶されている前記実行条件情報を前記第２操作表示部における操作入力に応じて前記画像処理装置に送信する第１送信部とを備える画像処理システム。
【請求項２】
前記画像処理装置が、予め定められた通信範囲内に前記携帯端末が存在する場合に、前記第１操作表示部への給電を停止させる給電制御部を更に備える請求項１に記載の画像処理システム。
【請求項３】
前記携帯端末が、前記第２操作表示部における操作入力に応じて前記第１操作表示部への給電の再開指示を前記画像処理装置に送信する第２送信部を更に備え、
前記給電制御部が、前記携帯端末からの前記第１操作表示部への給電の再開指示の受信を含む予め定められた給電再開条件を充足する場合には前記第１操作表示部への給電を再開させる請求項２に記載の画像処理システム。
【請求項４】
複数の前記携帯端末を備え、
前記携帯端末が、前記第２操作表示部における操作入力に応じて前記記憶部に記憶されている前記実行条件情報を他の前記携帯端末に送信する第３送信部と、外部から前記実行条件情報を受信した場合に、受信した前記実行条件情報を前記記憶部に記憶させる第１記憶制御部とを更に備える請求項１〜３のいずれかに記載の画像処理システム。
【請求項５】
前記第２設定部が、前記携帯端末から受信した前記実行条件情報に前記画像処理装置において充足不可の条件が含まれている場合には、前記充足不可の条件を示す不可条件情報を前記携帯端末に送信し、
前記携帯端末が、前記画像処理装置から前記不可条件情報を受信した場合に、前記充足不可の条件を報知する報知部を更に備える請求項１〜４のいずれかに記載の画像処理システム。
【請求項６】
前記第２設定部が、前記不可条件情報と共に前記画像処理装置の機種を示す機種情報を前記携帯端末に送信し、
前記携帯端末が、前記画像処理装置から送信される前記不可条件情報及び前記機種情報を前記記憶部に記憶させる第２記憶制御部と、予め定められた通信範囲内に存在する前記画像処理装置を検出する検出部と、前記検出部によって検出された前記画像処理装置から前記機種情報を取得する機種情報取得部とを更に備え、
前記報知部が、前記機種情報取得部により取得された前記機種情報が前記記憶部に記憶されている前記機種情報と一致する場合に、取得された前記機種情報に対応する前記充足不可の条件を報知する請求項５に記載の画像処理システム。
【請求項７】
前記第１送信部が、前記実行条件情報と共に前記ジョブの実行指示を前記画像処理装置に送信し、
前記画像処理装置が、前記携帯端末から前記実行条件情報及び前記ジョブの実行指示を受信した場合に、前記第２設定部により設定される前記ジョブの実行条件に従って前記ジョブを実行するジョブ実行部を更に備える請求項１〜６のいずれかに記載の画像処理システム。
【請求項８】
前記携帯端末が、前記第２操作表示部における前記ジョブの実行条件の設定操作を受け付ける設定操作受付部と、前記設定操作に応じた内容の前記実行条件情報を前記記憶部に記憶させる第３記憶制御部とを更に備える請求項１〜７のいずれかに記載の画像処理システム。
【請求項９】
前記ジョブが、スキャンジョブ、コピージョブ、及びファクス送信ジョブのいずれか一つ又は複数を含む請求項１〜８のいずれかに記載の画像処理システム。
【請求項１０】
第１操作表示部と、
前記第１操作表示部における操作入力に応じてジョブの実行条件を設定する第１設定部と、
外部から送信される前記ジョブの実行条件を示す実行条件情報に基づいて前記ジョブの実行条件を設定する第２設定部と、
を備える画像処理装置。
【請求項１１】
第２操作表示部と、
第１操作表示部を備える画像処理装置において前記第１操作表示部での操作入力に応じて実行されるジョブの実行条件を示す実行条件情報を記憶する記憶部と、
前記記憶部に記憶されている前記実行条件情報を前記第２操作表示部における操作入力に応じて前記画像処理装置に送信する第１送信部と、
を備える携帯端末。
【請求項１２】
第１操作表示部を備える画像処理装置と、第２操作表示部及び前記画像処理装置において前記第１操作表示部での操作入力に応じて実行されるジョブの実行条件を示す実行条件情報を記憶する記憶部を備える携帯端末と、を備える画像処理システムで実行されるジョブ実行方法であって、
前記記憶部に記憶されている前記実行条件情報を前記第２操作表示部における操作入力に応じて前記画像処理装置に送信する第１ステップと、
前記携帯端末から送信される前記ジョブの実行条件を示す実行条件情報に基づいて前記ジョブの実行条件を設定する第２ステップと、
を含むジョブ実行方法。
【発明の詳細な説明】
【技術分野】
【０００１】
本発明は、画像処理装置と携帯端末とを備える画像処理システム、画像処理装置、携帯端末、及びジョブ実行方法に関する。
【背景技術】
【０００２】
一般に、複合機のような画像処理装置には、ユーザーの操作入力を受け付けるタッチパネルなどの操作表示部が設けられている（例えば、特許文献１参照）。この種の画像処理装置では、ユーザーの操作表示部に対する操作入力に応じて、コピージョブなどの画像処理に関するジョブの実行条件が設定されると共に、設定された実行条件に従ってジョブが実行される。
【先行技術文献】
【特許文献】
【０００３】
【特許文献１】特開２０１３−１２５５１４号公報
【発明の概要】
【発明が解決しようとする課題】
【０００４】
ところで、操作表示部に対するジョブの実行条件の設定操作がジョブの実行の度に行われる場合には、設定操作の手間がユーザーにとって負担となる。また、ユーザーによる設定操作の間は操作表示部の表示画面が点灯されており、設定操作に掛かる時間が長くなれば、それだけ操作表示部で消費される電力が増大する。
【０００５】
本発明の目的は、操作表示部に対するジョブの実行条件の設定操作の手間を軽減すると共に、操作表示部で消費される電力を低減可能な画像処理システム、画像処理装置、携帯端末、及びジョブ実行方法を提供することにある。
【課題を解決するための手段】
【０００６】
本発明の一の局面に係る画像処理システムは、画像処理装置と携帯端末とを備える。前記画像処理装置は、第１操作表示部と、第１設定部と、第２設定部とを備える。前記第１設定部は、前記第１操作表示部における操作入力に応じてジョブの実行条件を設定する。前記第２設定部は、前記携帯端末から送信される前記ジョブの実行条件を示す実行条件情報に基づいて前記ジョブの実行条件を設定する。一方、前記携帯端末は、第２操作表示部と、記憶部と、第１送信部とを備える。前記記憶部は、前記実行条件情報を記憶する。前記第１送信部は、前記記憶部に記憶されている前記実行条件情報を前記第２操作表示部における操作入力に応じて前記画像処理装置に送信する。
【０００７】
本発明の他の局面に係る画像処理装置は、第１操作表示部と、第１設定部と、第２設定部とを備える。前記第１設定部は、前記第１操作表示部における操作入力に応じてジョブの実行条件を設定する。前記第２設定部は、外部から送信される前記ジョブの実行条件を示す実行条件情報に基づいて前記ジョブの実行条件を設定する。
【０００８】
本発明の他の局面に係る携帯端末は、第２操作表示部と、記憶部と、第１送信部とを備える。前記記憶部は、第１操作表示部を備える画像処理装置において前記第１操作表示部での操作入力に応じて実行されるジョブの実行条件を示す実行条件情報を記憶する。前記第１送信部は、前記記憶部に記憶されている前記実行条件情報を前記第２操作表示部における操作入力に応じて前記画像処理装置に送信する。
【０００９】
本発明の他の局面に係るジョブ実行方法は、第１操作表示部を備える画像処理装置と、第２操作表示部及び前記画像処理装置において前記第１操作表示部での操作入力に応じて実行されるジョブの実行条件を示す実行条件情報を記憶する記憶部を備える携帯端末と、を備える画像処理システムで実行され、以下の第１ステップから第２ステップまでを含む。前記第１ステップは、前記記憶部に記憶されている前記実行条件情報を前記第２操作表示部における操作入力に応じて前記画像処理装置に送信する。前記第２ステップは、前記携帯端末から送信される前記ジョブの実行条件を示す実行条件情報に基づいて前記ジョブの実行条件を設定する。
【発明の効果】
【００１０】
本発明によれば、操作表示部に対するジョブの実行条件の設定操作の手間を軽減すると共に、操作表示部で消費される電力を低減可能な画像処理システム、画像処理装置、携帯端末、及びジョブ実行方法が実現される。
【図面の簡単な説明】
【００１１】
【図１】図１は、本発明の実施形態に係る画像処理システムの概略構成を示すブロック図である。
【図２】図２は、本発明の実施形態に係る画像処理システムにおける画像形成装置の構成を示す断面模式図である。
【図３】図３は、本発明の実施形態に係る画像処理システムの携帯端末で実行される実行条件設定処理の一例を示すフローチャートである。
【図４】図４は、本発明の実施形態に係る画像処理システムの携帯端末で実行される実行条件送信処理の一例を示すフローチャートである。
【図５】図５は、本発明の実施形態に係る画像処理システムの携帯端末で実行される給電制御処理の一例を示すフローチャートである。
【図６】図６は、本発明の実施形態に係る画像処理システムにおける携帯端末の第２操作表示部に表示される表示画面の一例を示す図である。
【図７】図７は、本発明の実施形態に係る画像処理システムにおける携帯端末の第２操作表示部に表示される表示画面の一例を示す図である。
【図８】図８は、本発明の実施形態に係る画像処理システムにおける携帯端末の第２操作表示部に表示される表示画面の一例を示す図である。
【図９】図９は、本発明の実施形態に係る画像処理システムにおける携帯端末の第２操作表示部に表示される表示画面の一例を示す図である。
【図１０】図１０は、本発明の実施形態に係る画像処理システムにおける携帯端末の第２操作表示部に表示される表示画面の一例を示す図である。
【図１１】図１１は、本発明の実施形態に係る画像処理システムの画像形成装置で実行されるジョブ実行制御処理の一例を示すフローチャートである。
【発明を実施するための形態】
【００１２】
以下、添付図面を参照しながら、本発明の実施形態について説明し、本発明の理解に供する。なお、以下の実施形態は、本発明を具体化した一例であって、本発明の技術的範囲を限定する性格のものではない。
【００１３】
［画像処理システム１００］
本発明の実施形態に係る画像処理システム１００は、図１に示すように、画像形成装置１０と、一又は複数の携帯端末２０とを備える。画像形成装置１０及び複数の携帯端末２０は、Ｂｌｕｅｔｏｏｔｈ（登録商標）の無線通信規格に従って相互間で通信可能である。
【００１４】
［画像形成装置１０］
画像形成装置１０は、図１及び図２に示すように、ＡＤＦ１１、画像読取部１２、画像形成部１３、給紙部１４、制御部１５、第１操作表示部１６、第１通信部１７、第２通信部１８、及び記憶部１９を備える。画像形成装置１０は、画像データに基づいて画像を形成するプリンター機能と共に、スキャン機能、ファクシミリ機能、又はコピー機能などの複数の機能を有する複合機である。ここに、画像形成装置１０が本発明における画像処理装置の一例である。なお、本発明は、スキャナー、プリンター装置、ファクシミリ装置、コピー機などの画像処理装置にも適用することが可能である。
【００１５】
ＡＤＦ１１は、不図示の原稿セット部、複数の搬送ローラー、原稿押さえ、及び排紙部を備え、画像読取部１２によって読み取られる原稿を搬送する自動原稿搬送装置である。画像読取部１２は、不図示の原稿台、読取ユニット、複数のミラー、光学レンズ、及びＣＣＤ（Charge Coupled Device）を備え、原稿から画像データを読み取る。
【００１６】
画像形成部１３は、画像読取部１２で読み取られた画像データ又は外部のパーソナルコンピューター等の情報処理装置から入力された画像データに基づいて、電子写真方式でカラー又はモノクロの画像を形成する画像形成処理（印刷処理）を実行可能である。具体的に、画像形成部１３は、Ｃ（シアン）、Ｍ（マゼンダ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。そして、画像形成部１３では、給紙部１４から供給されるシートにカラー又はモノクロの画像が形成されて、画像形成後の前記シートが前記排紙トレイに排出される。
【００１７】
第１操作表示部１６は、制御部１５からの制御指示に応じて各種の情報を表示する液晶ディスプレーなどの表示部、及びユーザーの操作に応じて制御部１５に各種の情報を入力するタッチパネルなどの操作部を有する。
【００１８】
制御部１５は、不図示のＣＰＵ、ＲＯＭ、ＲＡＭ、及びＥＥＰＲＯＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、制御部１５は、前記ＲＯＭ又は記憶部１９に予め記憶された各種の制御プログラムを前記ＣＰＵを用いて実行することにより画像形成装置１０を統括的に制御する。
【００１９】
また、制御部１５は、図１に示すように、第１設定部１５１、及び第１実行部１５２を含む。具体的に、制御部１５は、前記ＲＯＭに記憶されている前記制御プログラムを実行することで、第１設定部１５１、及び第１実行部１５２として機能する。
【００２０】
第１設定部１５１は、第１操作表示部１６における操作入力に応じてジョブの実行条件を設定する。例えば、第１設定部１５１によって実行条件が設定される前記ジョブには、原稿から画像データを読み取るスキャンジョブ、原稿から読み取った画像データに基づいて前記印刷処理を実行するコピージョブ、及び原稿から読み取った画像データを外部の通信装置との間で実行されるファクス通信により送信するファクス送信ジョブが含まれる。ここに、前記スキャンジョブ、前記コピージョブ、及び前記ファクス送信ジョブが、本発明におけるジョブの一例である。
【００２１】
なお、本発明におけるジョブには、第１操作表示部１６での操作入力により実行条件が設定される他のジョブが含まれてよい。例えば、記憶部１９に記憶されている画像データに基づいて前記印刷処理を実行するジョブに、本発明を適用することが考えられる。
【００２２】
一方で、本発明におけるジョブには、第１操作表示部１６での操作入力により実行条件が設定されることが予定されていないジョブは含まれない。例えば、外部の情報処理装置から送信される画像データに基づいて前記印刷処理を実行するプリントジョブ、及び外部の通信装置との間で実行されるファクス通信により受信される画像データに基づいて前記印刷処理を実行するファクス受信ジョブは、本発明におけるジョブには含まれない。
【００２３】
第１実行部１５２は、第１操作表示部１６における操作入力に応じて、第１設定部１５１によって実行条件が設定される前記ジョブを実行する。具体的に、第１実行部１５２は、第１設定部１５１により設定された前記ジョブの実行条件又は初期設定として予め前記ＲＯＭ等に記憶されている前記ジョブの実行条件に従って、前記ジョブを実行する。
【００２４】
第１通信部１７は、携帯端末２０などの外部通信機器との間で、Ｂｌｕｅｔｏｏｔｈで規定された所定の通信プロトコルに従って無線によるデータ通信を実行する。例えば、第１通信部１７は、クラス２と称される電波強度（２．５ｍＷ）で、画像形成装置１０から約１０ｍの範囲に存在する外部通信機器との間でＢｌｕｅｔｏｏｔｈによる無線通信を実行可能である。なお、Ｂｌｕｅｔｏｏｔｈ方式のデータ通信手法については従来周知であるため、ここではその説明を省略する。
【００２５】
ここで、画像形成装置１０では、予め複数の携帯端末２０との間で、Ｂｌｕｅｔｏｏｔｈ通信における通信相手の認証手続であるペアリングが実行されている。前記ペアリングでは、通信機器相互間で、通信相手の認証のために必要となるペアリングＩＤが交換される。そして、前記ペアリングにより画像形成装置１０が取得した携帯端末２０の前記ペアリングＩＤが、記憶部１９に記憶されている。これにより、その後、画像形成装置１０と携帯端末２０との間でＢｌｕｅｔｏｏｔｈによる無線通信が可能である。
【００２６】
第２通信部１８は、外部の情報処理装置などの通信機器との間で、インターネット又はＬＡＮ等の通信ネットワークを介して有線又は無線によるデータ通信を実行する。
【００２７】
記憶部１９は、ソリッドステートドライブ（ＳＳＤ）又はハードディスクドライブ（ＨＤＤ）などの記憶部である。記憶部１９には、携帯端末２０の前記ペアリングＩＤが記憶されている。
【００２８】
ところで、第１設定部１５１によって実行条件が設定される前記ジョブについて、第１操作表示部１６に対する前記ジョブの実行条件の設定操作が前記ジョブの実行の度に行われる場合には、設定操作の手間がユーザーにとって負担となる。また、ユーザーによる設定操作の間は第１操作表示部１６の表示画面が点灯されており、設定操作に掛かる時間が長くなれば、それだけ第１操作表示部１６で消費される電力が増大する。これに対し、画像処理システム１００では、以下に説明するように、第１操作表示部１６に対する前記ジョブの実行条件の設定操作の手間を軽減すると共に、第１操作表示部１６で消費される電力を低減することが可能である。
【００２９】
具体的に、記憶部１９には、制御部１５の前記ＣＰＵに後述のジョブ実行制御処理（図１１のフローチャート参照）を実行させるためのジョブ実行制御プログラムが予め記憶されている。なお、前記ジョブ実行制御プログラムは、ＣＤ、ＤＶＤ、フラッシュメモリーなどのコンピューター読み取り可能な記録媒体に記録されており、前記記録媒体から記憶部１９などの記憶部にインストールされてもよい。
【００３０】
そして、制御部１５は、図１に示すように、第２設定部１５３、第２実行部１５４、及び給電制御部１５５を更に含む。具体的に、制御部１５は、記憶部１９に記憶された前記ジョブ実行制御プログラムを前記ＣＰＵを用いて実行することにより、第２設定部１５３、第２実行部１５４、及び給電制御部１５５として機能する。
【００３１】
第２設定部１５３は、携帯端末２０から送信される前記ジョブの実行条件を示す実行条件情報に基づいて前記ジョブの実行条件を設定する。例えば、第２設定部１５３は、前記実行条件情報を前記ＲＡＭの予め定められた記憶領域に記憶させることで、前記ジョブの実行条件を設定する。
【００３２】
また、第２設定部１５３は、携帯端末２０から受信した前記実行条件情報に画像形成装置１０において充足不可の条件が含まれている場合には、前記充足不可の条件を示す不可条件情報を携帯端末２０に送信する。更に、第２設定部１５３は、前記不可条件情報と共に画像形成装置１０の機種を示す機種情報を携帯端末２０に送信する。例えば、第２設定部１５３は、第１通信部１７を制御して携帯端末２０との間でＢｌｕｅｔｏｏｔｈによる無線通信を実行することで、前記不可条件情報及び前記機種情報を送信する。なお、第２設定部１５３は、第２通信部１８を制御して携帯端末２０との間で前記ネットワークを介したデータ通信を実行することで、前記不可条件情報及び前記機種情報を送信してもよい。
【００３３】
第２実行部１５４は、携帯端末２０から前記実行条件情報及び前記ジョブの実行指示を受信した場合に、第２設定部１５３により設定される前記ジョブの実行条件に従って前記ジョブを実行する。ここに、第２実行部１５４が、本発明におけるジョブ実行部の一例である。
【００３４】
給電制御部１５５は、予め定められた通信範囲内に携帯端末２０が存在する場合に、第１操作表示部１６への給電を停止させる。例えば、給電制御部１５５は、Ｂｌｕｅｔｏｏｔｈによる無線通信の通信範囲内に存在する携帯端末２０から第１操作表示部１６への給電の停止指示を受信した場合に、第１操作表示部１６への給電を停止させる。ここに、Ｂｌｕｅｔｏｏｔｈによる無線通信の通信範囲が、本発明における予め定められた通信範囲の一例である。なお、給電制御部１５５は、前記通信範囲内に存在する携帯端末２０が検出された場合に、第１操作表示部１６への給電を停止させてもよい。
【００３５】
例えば、給電制御部１５５は、第１操作表示部１６のうち液晶ディスプレー、バックライト、及びタッチパネルへの給電を停止させる。なお、給電制御部１５５が、電源キー、スタートキーなどのハードキーによる入力部への給電を停止させることも考えられる。
【００３６】
また、給電制御部１５５は、携帯端末２０からの第１操作表示部１６への給電の再開指示の受信を含む予め定められた給電再開条件を充足する場合には、第１操作表示部１６への給電を再開させる。例えば、他の前記給電再開条件には、携帯端末２０との間のＢｌｕｅｔｏｏｔｈによる無線通信が断絶したこと、及び第１操作表示部１６への給電の停止指示の受信時から予め定められた時間が経過したことのいずれか一方又は両方が含まれる。
【００３７】
［携帯端末２０］
携帯端末２０は、画像形成装置１０のユーザーなどによって持ち運ばれるスマートフォンなどの移動通信端末である。具体的に、携帯端末２０は、図１に示すように、制御部２１、第２操作表示部２３、第１通信部２４、第２通信部２５、及び記憶部２６を備える。なお、携帯端末２０は、携帯電話、タブレット端末、ノートパソコン又はＰＤＡなどであってもよい。
【００３８】
制御部２１は、不図示のＣＰＵ、ＲＯＭ、ＲＡＭ、及びＥＥＰＲＯＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、制御部２１は、前記ＲＯＭ又は記憶部２６に予め記憶された各種の制御プログラムを前記ＣＰＵを用いて実行することにより携帯端末２０を統括的に制御する。
【００３９】
第２操作表示部２３は、制御部２１からの制御指示に応じて各種の情報を表示する液晶ディスプレーなどの表示部、及びユーザーの操作に応じて制御部２１に各種の情報を入力するタッチパネルなどの操作部を有する。
【００４０】
第１通信部２４は、画像形成装置１０などの外部通信機器との間で、Ｂｌｕｅｔｏｏｔｈで規定された所定の通信プロトコルに従って無線によるデータ通信を実行する。例えば、第１通信部２４は、画像形成装置１０と同様にクラス２と称される電波強度で、携帯端末２０から約１０ｍの範囲に存在する外部通信機器との間でＢｌｕｅｔｏｏｔｈによる無線通信を実行可能である。ここで、携帯端末２０では、予め画像形成装置１０との間で前記ペアリングが実行されており、画像形成装置１０の前記ペアリングＩＤが記憶部２６に記憶されている。
【００４１】
第２通信部２５は、外部の情報処理装置などの通信機器との間で、インターネット又はＬＡＮ等の通信ネットワークを介して有線又は無線によるデータ通信を実行する。
【００４２】
記憶部２６は、フラッシュメモリー等の不揮発性の記憶部であり、制御部２１によるデータの読み書きが可能である。なお、記憶部２６には、画像形成装置１０の前記ペアリングＩＤが記憶されている。
【００４３】
更に、記憶部２６には、制御部２１の前記ＣＰＵに後述の実行条件設定処理（図３のフローチャート参照）、実行条件送信処理（図４のフローチャート参照）、及び給電制御処理（図５のフローチャート参照）を実行させるための実行条件送信プログラムが予め記憶されている。なお、前記実行条件送信プログラムは、ＣＤ、ＤＶＤ、フラッシュメモリーなどのコンピューター読み取り可能な記録媒体に記録されており、前記記録媒体から記憶部２６などの記憶部にインストールされてもよい。
【００４４】
そして、制御部２１は、図１に示すように、設定操作受付部２１１、第３記憶制御部２１２、第３送信部２１３、第１記憶制御部２１４、第１送信部２１５、第２記憶制御部２１６、検出部２１７、機種情報取得部２１８、報知部２１９、第４送信部２２０、及び第２送信部２２１を含む。具体的に、制御部２１は、記憶部２６に記憶された前記実行条件送信プログラムを前記ＣＰＵを用いて実行することにより、設定操作受付部２１１、第３記憶制御部２１２、第３送信部２１３、第１記憶制御部２１４、第１送信部２１５、第２記憶制御部２１６、検出部２１７、機種情報取得部２１８、報知部２１９、第４送信部２２０、及び第２送信部２２１として機能する。
【００４５】
設定操作受付部２１１は、第２操作表示部２３における前記ジョブの実行条件の設定操作を受け付ける。具体的に、設定操作受付部２１１は、第２操作表示部２３における操作入力に応じて、第２操作表示部２３に前記設定操作を行うための設定画面を表示させる。そして、設定操作受付部２１１は、前記設定画面においてユーザーによる前記設定操作を待ち受ける。
【００４６】
第３記憶制御部２１２は、前記設定画面におけるユーザーの前記設定操作に応じた内容の前記実行条件情報を記憶部２６に記憶させる。ここに、前記実行条件情報が記憶される記憶部２６が、本発明における記憶部の一例である。
【００４７】
第３送信部２１３は、第２操作表示部２３における操作入力に応じて記憶部２６に記憶されている前記実行条件情報を他の携帯端末２０に送信する。例えば、第３送信部２１３は、第２通信部２５を制御して他の携帯端末２０との間で前記ネットワークを介したデータ通信を実行することで、前記実行条件情報を送信する。なお、第３送信部２１３は、第１通信部２４を制御して他の携帯端末２０との間でＢｌｕｅｔｏｏｔｈによる無線通信を実行することで、前記実行条件情報を送信してもよい。
【００４８】
第１記憶制御部２１４は、外部から前記実行条件情報を受信した場合に、受信した前記実行条件情報を記憶部２６に記憶させる。
【００４９】
第１送信部２１５は、記憶部２６に記憶されている前記実行条件情報を第２操作表示部２３における操作入力に応じて画像形成装置１０に送信する。ここで、第１送信部２１５は、前記実行条件情報と共に前記ジョブの実行指示を画像形成装置１０に送信する。例えば、第１送信部２１５は、第１通信部２４を制御して画像形成装置１０との間でＢｌｕｅｔｏｏｔｈによる無線通信を実行することで、前記実行条件情報及び前記ジョブの実行指示を送信する。なお、第１送信部２１５は、第２通信部２５を制御して画像形成装置１０との間で前記ネットワークを介したデータ通信を実行することで、前記実行条件情報及び前記ジョブの実行指示を送信してもよい。
【００５０】
第２記憶制御部２１６は、画像形成装置１０から送信される前記不可条件情報及び前記機種情報を記憶部２６に記憶させる。具体的に、第２記憶制御部２１６は、前記不可条件情報及び前記機種情報を対応付けて記憶部２６に記憶させる。
【００５１】
検出部２１７は、予め定められた通信範囲内に存在する画像形成装置１０を検出する。具体的に、検出部２１７は、第１通信部２４を制御してＢｌｕｅｔｏｏｔｈの通信方式に従った制御信号を携帯端末２０の周囲に送出させることで、Ｂｌｕｅｔｏｏｔｈの通信範囲内におけるＢｌｕｅｔｏｏｔｈ通信可能な機器を検出する。そして、検出部２１７は、検出された機器から取得される前記ペアリングＩＤと記憶部２６に記憶されている前記ペアリングＩＤとを照合することで、記憶部２６に前記ペアリングＩＤが記憶された画像形成装置１０を検出する。
【００５２】
機種情報取得部２１８は、検出部２１７によって検出された画像形成装置１０から前記機種情報を取得する。
【００５３】
報知部２１９は、画像形成装置１０から前記不可条件情報を受信した場合に、前記充足不可の条件を報知する。例えば、報知部２１９は、前記不可条件情報の内容を第２操作表示部２３に表示させて、前記充足不可の条件を報知する。
【００５４】
また、報知部２１９は、機種情報取得部２１８により取得された前記機種情報が記憶部２６に記憶されている前記機種情報と一致する場合に、取得された前記機種情報に対応する前記充足不可の条件を報知する。
【００５５】
第４送信部２２０は、検出部２１７によって検出された画像形成装置１０に第１操作表示部１６への給電の停止指示を送信する。例えば、第４送信部２２０は、第１通信部２４を制御して画像形成装置１０との間でＢｌｕｅｔｏｏｔｈによる無線通信を実行することで、第１操作表示部１６への給電の停止指示を送信する。
【００５６】
第２送信部２２１は、第２操作表示部２３における操作入力に応じて、第１操作表示部１６への給電の再開指示を画像形成装置１０に送信する。例えば、第２送信部２２１は、第１通信部２４を制御して画像形成装置１０との間でＢｌｕｅｔｏｏｔｈによる無線通信を実行することで、第１操作表示部１６への給電の再開指示を送信する。
【００５７】
以下、図３〜図５を参照しつつ、携帯端末２０において制御部２１が前記実行条件送信プログラムに従って実行する実行条件設定処理、実行条件送信処理、及び給電制御処理について説明する。なお、携帯端末２０において、前記実行条件設定処理、前記実行条件送信処理、及び前記給電制御処理は、互いに並行して実行される。
【００５８】
［実行条件設定処理］
まず、図３を参照しつつ、前記実行条件設定処理の手順の一例について説明する。ここで、ステップＳ１１、Ｓ１２・・・は、制御部２１により実行される処理手順（ステップ）の番号を表している。
【００５９】
＜ステップＳ１１＞
まず、ステップＳ１１において、制御部２１は、第２操作表示部２３において記憶部２６に記憶されている前記実行条件情報を他の携帯端末２０に送信する旨の操作入力が行われたか否かを判断する。
【００６０】
ここで、制御部２１は、第２操作表示部２３において前記実行条件情報を送信する旨の操作入力が行われたと判断すると（Ｓ１１のＹｅｓ側）、処理をステップＳ１１１に移行させる。また、第２操作表示部２３において前記実行条件情報を送信する旨の操作入力が行われていなければ（Ｓ１１のＮｏ側）、制御部２１は、処理をステップＳ１２に移行させる。
【００６１】
＜ステップＳ１２＞
ステップＳ１２において、制御部２１は、外部から前記実行条件情報を受信したか否かを判断する。
【００６２】
ここで、制御部２１は、外部から前記実行条件情報を受信したと判断すると（Ｓ１２のＹｅｓ側）、処理をステップＳ１２１に移行させる。また、外部から前記実行条件情報を受信していなければ（Ｓ１２のＮｏ側）、制御部２１は、処理をステップＳ１３に移行させる。
【００６３】
＜ステップＳ１３＞
ステップＳ１３において、制御部２１は、第２操作表示部２３において前記ジョブの実行条件の設定操作を行うための前記設定画面を表示する旨の操作入力が行われたか否かを判断する。
【００６４】
ここで、制御部２１は、第２操作表示部２３において前記設定画面を表示する旨の操作入力が行われたと判断すると（Ｓ１３のＹｅｓ側）、処理をステップＳ１４に移行させる。また、第２操作表示部２３において前記設定画面を表示する旨の操作入力が行われていなければ（Ｓ１３のＮｏ側）、制御部２１は、処理をステップＳ１１に移行させる。
【００６５】
＜ステップＳ１４＞
ステップＳ１４において、制御部２１は、第２操作表示部２３に前記設定画面を表示させる。
【００６６】
＜ステップＳ１５＞
ステップＳ１５において、制御部２１は、ステップＳ１４で第２操作表示部２３に表示された前記設定画面においてユーザーによる前記ジョブの実行条件の設定操作が行われたか否かを判断する。
【００６７】
ここで、制御部２１は、前記設定画面において前記ジョブの実行条件の設定操作が行われたと判断すると（Ｓ１５のＹｅｓ側）、処理をステップＳ１６に移行させる。また、前記設定画面において前記ジョブの実行条件の設定操作が行われていなければ（Ｓ１５のＮｏ側）、制御部２１は、ステップＳ１５において前記ジョブの実行条件の設定操作を待ち受ける。ここに、ステップＳ１３、ステップＳ１４、及びステップＳ１５の処理は、制御部２１の設定操作受付部２１１により実行される。
【００６８】
＜ステップＳ１６＞
ステップＳ１６において、制御部２１は、ステップＳ１５での前記ジョブの実行条件の設定操作に応じた内容の前記実行条件情報を記憶部２６に記憶させる。ここに、ステップＳ１６の処理は、制御部２１の第３記憶制御部２１２により実行される。
【００６９】
＜ステップＳ１１１＞
一方、ステップＳ１１で、第２操作表示部２３において前記実行条件情報を送信する旨の操作入力が行われたと判断された場合には、制御部２１はステップＳ１１１の処理を実行する。ステップＳ１１１において、制御部２１は、ステップＳ１１での操作入力に応じて前記実行条件情報を他の携帯端末２０に送信する。ここに、ステップＳ１１及びステップＳ１１１の処理は、制御部２１の第３送信部２１３により実行される。例えば、制御部２１は、第２通信部２５を制御して他の携帯端末２０との間で前記ネットワークを介したデータ通信を実行することで、前記実行条件情報を送信する。これにより、他のユーザーに前記ジョブの実行を依頼する場合において、前記ジョブの実行条件の内容を伝達する手間が軽減される。
【００７０】
＜ステップＳ１２１＞
一方、ステップＳ１２で、外部から前記実行条件情報を受信したと判断された場合には、制御部２１はステップＳ１２１の処理を実行する。ステップＳ１２１において、制御部２１は、ステップＳ１２で受信した前記実行条件情報を記憶部２６に記憶させる。ここに、ステップＳ１２及びステップＳ１２１の処理は、制御部２１の第１記憶制御部２１４により実行される。これにより、他のユーザーから前記ジョブの実行を依頼される場合において、前記ジョブの実行条件の内容を受領する手間が軽減される。
【００７１】
［実行条件送信処理］
次に、図４を参照しつつ、前記実行条件送信処理の手順の一例について説明する。
【００７２】
＜ステップＳ２１＞
まず、ステップＳ２１において、制御部２１は、第２操作表示部２３において記憶部２６に記憶されている前記実行条件情報に基づいて画像形成装置１０に前記ジョブを実行させる旨の操作入力が行われたか否かを判断する。
【００７３】
ここで、制御部２１は、第２操作表示部２３において画像形成装置１０に前記ジョブを実行させる旨の操作入力が行われたと判断すると（Ｓ２１のＹｅｓ側）、処理をステップＳ２２に移行させる。また、第２操作表示部２３において画像形成装置１０に前記ジョブを実行させる旨の操作入力が行われていなければ（Ｓ２１のＮｏ側）、制御部２１は、ステップＳ２１において、第２操作表示部２３で画像形成装置１０に前記ジョブを実行させる旨の操作入力が行われるのを待ち受ける。
【００７４】
＜ステップＳ２２＞
ステップＳ２２において、制御部２１は、画像形成装置１０に前記実行条件情報及び前記ジョブの実行指示を送信する。例えば、制御部２１は、第１通信部２４を制御して画像形成装置１０との間でＢｌｕｅｔｏｏｔｈによる無線通信を実行することで、前記実行条件情報及び前記ジョブの実行指示を送信する。ここに、ステップＳ２２の処理が、本発明における第１ステップの一例であって、制御部２１の第１送信部２１５により実行される。なお、ステップＳ２２において、制御部２１が、画像形成装置１０に前記ジョブの実行指示を送信しない構成が他の実施形態として考えられる。この場合、ユーザーは画像形成装置１０の第１操作表示部１６を操作して、画像形成装置１０に前記ジョブを実行させる。
【００７５】
＜ステップＳ２３＞
ステップＳ２３において、制御部２１は、画像形成装置１０から前記不可条件情報及び前記機種情報を受信したか否かを判断する。具体的に、制御部２１は、画像形成装置１０から前記ジョブの実行完了通知に替えて前記不可条件情報及び前記機種情報が送信された場合に、前記不可条件情報及び前記機種情報を受信したと判断する。
【００７６】
ここで、制御部２１は、画像形成装置１０から前記不可条件情報及び前記機種情報を受信したと判断すると（Ｓ２３のＹｅｓ側）、処理をステップＳ２４に移行させる。また、画像形成装置１０から前記不可条件情報及び前記機種情報を受信していなければ（Ｓ２３のＮｏ側）、制御部２１は、処理をステップＳ２１に移行させる。
【００７７】
＜ステップＳ２４＞
ステップＳ２４において、制御部２１は、ステップＳ２３で受信した前記不可条件情報の内容を第２操作表示部２３に表示させて報知する。ここに、ステップＳ２３及びステップＳ２４の処理は、制御部２１の報知部２１９により実行される。これにより、ユーザーはステップＳ２２で送信された前記実行条件情報に含まれる充足不可の条件の内容を認識して、前記実行条件情報の内容を変更した上での前記ジョブの実行の継続又は前記ジョブの実行の断念を選択することが可能である。
【００７８】
＜ステップＳ２５＞
ステップＳ２５において、制御部２１は、ステップＳ２３で受信した前記不可条件情報及び前記機種情報を対応付けて記憶部２６に記憶させる。ここに、ステップＳ２５の処理は、制御部２１の第２記憶制御部２１６により実行される。
【００７９】
［給電制御処理］
次に、図５を参照しつつ、前記給電制御処理の手順の一例について説明する。
【００８０】
＜ステップＳ３１＞
まず、ステップＳ３１において、制御部２１は、前記通信範囲内に存在する画像形成装置１０を検出したか否かを判断する。具体的に、制御部２１は、第１通信部２４を制御してＢｌｕｅｔｏｏｔｈの通信方式に従った制御信号を携帯端末２０の周囲に送出させることで、Ｂｌｕｅｔｏｏｔｈの通信範囲内におけるＢｌｕｅｔｏｏｔｈ通信可能な機器を検出する。そして、制御部２１は、検出された機器から取得される前記ペアリングＩＤが記憶部２６に記憶されている画像形成装置１０の前記ペアリングＩＤと一致する場合に、前記通信範囲内に存在する画像形成装置１０を検出したと判断する。ここに、ステップＳ３１の処理は、制御部２１の検出部２１７により実行される。
【００８１】
ここで、制御部２１は、前記通信範囲内に存在する画像形成装置１０を検出したと判断すると（Ｓ３１のＹｅｓ側）、処理をステップＳ３２に移行させる。また、前記通信範囲内に存在する画像形成装置１０を検出していなければ（Ｓ３１のＮｏ側）、制御部２１は、ステップＳ３１において前記通信範囲内に存在する画像形成装置１０の検出を待ち受ける。
【００８２】
＜ステップＳ３２＞
ステップＳ３２において、制御部２１は、ステップＳ３１で検出された画像形成装置１０から前記機種情報を取得する。ここに、ステップＳ３２の処理は、制御部２１の機種情報取得部２１８により実行される。
【００８３】
＜ステップＳ３３＞
ステップＳ３３において、制御部２１は、ステップＳ３２で取得された前記機種情報が記憶部２６に記憶されている前記機種情報と一致するか否かを判断する。
【００８４】
ここで、制御部２１は、取得された前記機種情報が記憶部２６に記憶されている前記機種情報と一致すると判断すると（Ｓ３３のＹｅｓ側）、処理をステップＳ３４に移行させる。また、取得された前記機種情報が記憶部２６に記憶されている前記機種情報と一致しなければ（Ｓ３３のＮｏ側）、制御部２１は、処理をステップＳ３５に移行させる。
【００８５】
＜ステップＳ３４＞
ステップＳ３４において、制御部２１は、ステップＳ３２で取得された前記機種情報に対応する前記充足不可の条件を報知する。具体的に、制御部２１は、前記実行条件送信処理のステップＳ２５で前記機種情報と対応付けられて記憶部２６に記憶された前記不可条件情報の内容を、第２操作表示部２３に表示させる。ここに、ステップＳ３３及びステップＳ３４の処理は、制御部２１の報知部２１９により実行される。これにより、ユーザーが誤って充足不可の条件を含む前記実行条件情報を画像形成装置１０に送信することが抑制される。
【００８６】
＜ステップＳ３５＞
ステップＳ３５において、制御部２１は、ステップＳ３１で検出された画像形成装置１０に第１操作表示部１６への給電の停止指示を送信する。ここに、ステップＳ３５の処理は、制御部２１の第４送信部２２０により実行される。例えば、制御部２１は、第１通信部２４を制御して画像形成装置１０との間でＢｌｕｅｔｏｏｔｈによる無線通信を実行することで、第１操作表示部１６への給電の停止指示を送信する。これにより、ユーザーが画像形成装置１０のＡＤＦ１１又は画像読取部１２に原稿を載置する際に、誤って第１操作表示部１６と接触して表示画面が点灯されることが抑制される。
【００８７】
＜ステップＳ３６＞
ステップＳ３６において、制御部２１は、ステップＳ３１で検出された画像形成装置１０との間のＢｌｕｅｔｏｏｔｈによる無線通信が断絶したか否かを判断する。
【００８８】
ここで、制御部２１は、画像形成装置１０との間のＢｌｕｅｔｏｏｔｈによる無線通信が断絶したと判断すると（Ｓ３６のＹｅｓ側）、処理をステップＳ３１に移行させる。また、画像形成装置１０との間のＢｌｕｅｔｏｏｔｈによる無線通信が断絶していなければ（Ｓ３６のＮｏ側）、制御部２１は、処理をステップＳ３７に移行させる。
【００８９】
＜ステップＳ３７＞
ステップＳ３７において、制御部２１は、第２操作表示部２３においてステップＳ３５で停止された第１操作表示部１６への給電を再開させる旨の操作入力が行われたか否かを判断する。
【００９０】
ここで、制御部２１は、第２操作表示部２３において第１操作表示部１６への給電を再開させる旨の操作入力が行われたと判断すると（Ｓ３７のＹｅｓ側）、処理をステップＳ３８に移行させる。また、第２操作表示部２３において第１操作表示部１６への給電を再開させる旨の操作入力が行われていなければ（Ｓ３７のＮｏ側）、制御部２１は、処理をステップＳ３６に移行させて、画像形成装置１０との間のＢｌｕｅｔｏｏｔｈによる無線通信の断絶又は第２操作表示部２３における第１操作表示部１６への給電を再開させる旨の操作入力を待ち受ける。
【００９１】
＜ステップＳ３８＞
ステップＳ３８において、制御部２１は、第１操作表示部１６への給電の再開指示を画像形成装置１０に送信する。ここに、ステップＳ３７及びステップＳ３８の処理は、制御部２１の第２送信部２２１により実行される。これにより、ユーザーは携帯端末２０の第２操作表示部２３で前記ジョブの実行操作を行うか、又は画像形成装置１０の第１操作表示部１６で前記ジョブの設定操作及び実行操作を行うかを選択することが可能である。
【００９２】
なお、画像処理システム１００において、制御部２１により実行される前記給電制御処理の全部又は一部が省略されてもよい。例えば、前記給電制御処理の全部を省略することで、画像形成装置１０及び携帯端末２０のいずれか一方又は両方がＢｌｕｅｔｏｏｔｈによる無線通信機能を備えていない構成であっても、本発明を適用することが可能である。
【００９３】
ここで、図６〜図１０を参照しつつ、制御部２１が前記実行条件送信プログラムを実行することで第２操作表示部２３に表示される表示画面の一例について説明する。
【００９４】
まず、図６に示す表示画面３１について説明する。表示画面３１は、前記実行条件送信プログラムが実行された場合に、制御部２１により第２操作表示部２３に表示される。表示画面３１において、メッセージ表示欄３１１にはユーザーに対するメッセージが表示される。また、ジョブ選択欄３１２には、画像形成装置１０に実行させる前記ジョブを選択するための操作キー３１２Ａ〜３１２Ｃが表示される。制御部２１は、ユーザーによりジョブ選択欄３１２に表示された操作キー３１２Ａ〜３１２Ｃのいずれかが操作された場合には、第２操作表示部２３における表示を表示画面３１から前記ジョブの実行条件を選択するための表示画面３２に遷移させる。なお、制御部２１は、ユーザーにより操作キー３１４が操作された場合には、前記実行条件送信プログラムを終了させる。
【００９５】
また、表示画面３１において操作キー３１３は、画像形成装置１０の制御部１５に対して第１操作表示部１６への給電の再開を指示するための操作キーである。即ち、操作キー３１３の操作が、前記給電制御処理のステップＳ３７における第１操作表示部１６への給電を再開させる旨の操作入力の具体例である。例えば、制御部２１は、前記給電制御処理のステップＳ３５の処理が実行された場合に、表示画面３１に操作キー３１３を表示させる。そして、制御部２１は、ユーザーにより操作キー３１３が操作された場合には、前記給電制御処理のステップＳ３８の処理を実行する。なお、制御部２１は、操作キー３１３の操作に従って前記給電制御処理のステップＳ３８の処理を実行した後、前記実行条件送信プログラムの実行を終了させてもよい。
【００９６】
次に、図７に示す表示画面３２について説明する。表示画面３２は、表示画面３１においてジョブ選択欄３１２に表示された操作キー３１２Ａ〜３１２Ｃのいずれかが操作された場合に、制御部２１により第２操作表示部２３に表示される（本実施形態では、操作キー３１２Ａのコピージョブが操作された場合を示す）。表示画面３２において、メッセージ表示欄３２１にはユーザーに対するメッセージが表示される。また、実行条件選択欄３２２には、画像形成装置１０に実行させる前記ジョブの実行条件を選択するための複数の操作キー３２２Ａ、３２２Ｂ、・・・が表示される。ここで、実行条件選択欄３２２に表示される複数の操作キーは、記憶部２６に記憶されている前記コピージョブの実行条件を示す複数の前記実行条件情報に対応している。そして、制御部２１は、ユーザーにより実行条件選択欄３２２に表示された複数の操作キーのいずれかが操作された場合には、第２操作表示部２３における表示を表示画面３２から選択に係る前記ジョブの実行条件の内容を示す表示画面３３に遷移させる。なお、制御部２１は、スクロール欄３２３に表示されたスクロールキー３２３Ａに対するユーザーの操作に応じて、実行条件選択欄３２２における複数の操作キーの表示を切り替える。また、制御部２１は、ユーザーにより操作キー３２５が操作された場合には、第２操作表示部２３に表示させる画面を表示画面３２から表示画面３１に遷移させる。
【００９７】
また、表示画面３２において操作キー３２４は、新たな前記ジョブの実行条件の設定を作成するための操作キーである。即ち、操作キー３２４の操作が、前記実行条件設定処理のステップＳ１３における前記設定画面を表示する旨の操作入力の具体例である。制御部２１は、ユーザーにより操作キー３２４が操作された場合には、前記実行条件設定処理のステップＳ１４の処理を実行する。
【００９８】
次に、図８に示す表示画面３３について説明する。表示画面３３は、表示画面３２において操作キー３２４が操作された場合に、制御部２１により第２操作表示部２３に表示される。表示画面３３において、メッセージ表示欄３３１にはユーザーに対するメッセージが表示される。また、実行条件設定欄３３２には、前記ジョブの実行条件として設定可能な各設定項目及び各設定項目の内容を設定するための複数の操作キー３３２Ａ、３３２Ｂ、・・・が表示される。ここで、ユーザーは、実行条件設定欄３２２に表示された複数の操作キー各々を操作することで、各設定項目の内容を設定することが可能である。なお、制御部２１は、スクロール欄３３３に表示されたスクロールキー３３３Ａに対するユーザーの操作に応じて、実行条件設定欄３３２における複数の操作キーの表示を切り替える。また、制御部２１は、ユーザーにより操作キー３３５が操作された場合には、第２操作表示部２３に表示させる画面を表示画面３３から表示画面３２に遷移させる。
【００９９】
また、表示画面３３において操作キー３３４は、実行条件設定欄３３２で設定された前記ジョブの実行条件の設定内容を前記実行条件情報として記憶部２６に記憶させるための操作キーである。即ち、操作キー３３４の操作が、前記実行条件設定処理のステップＳ１５における前記ジョブの実行条件の設定操作の具体例である。制御部２１は、ユーザーにより操作キー３３４が操作された場合には、前記実行条件設定処理のステップＳ１６の処理を実行する。
【０１００】
次に、図９に示す表示画面３４について説明する。表示画面３４は、表示画面３２において実行条件選択欄３２２に表示された複数の操作キーのいずれかが操作された場合に、制御部２１により第２操作表示部２３に表示される（本実施形態では、操作キー３２２Ａのコピージョブ設定Ａが操作された場合を示す）。表示画面３４において、メッセージ表示欄３４１にはユーザーに対するメッセージが表示される。また、実行条件表示欄３４２には、表示画面３２で選択された前記ジョブの実行条件の内容が表示される。なお、制御部２１は、スクロール欄３４３に表示されたスクロールキー３４３Ａに対するユーザーの操作に応じて、実行条件表示欄３４２における表示内容を切り替える。また、制御部２１は、ユーザーにより操作キー３４６が操作された場合には、第２操作表示部２３に表示させる画面を表示画面３４から表示画面３２に遷移させる。
【０１０１】
また、表示画面３４において操作キー３４４は、画像形成装置１０に前記ジョブの実行を指示するための操作キーである。即ち、操作キー３４４の操作が、前記実行条件送信処理のステップＳ２１における画像形成装置１０に前記ジョブを実行させる旨の操作入力の具体例である。制御部２１は、ユーザーにより操作キー３４４が操作された場合には、前記実行条件送信処理のステップＳ２２の処理を実行する。
【０１０２】
また、表示画面３４において操作キー３４５は、他の携帯端末２０に前記実行条件情報を送信するための操作キーである。即ち、操作キー３４５の操作が、前記実行条件設定処理のステップＳ１１における記憶部２６に記憶されている前記実行条件情報を他の携帯端末２０に送信する旨の操作入力の具体例である。制御部２１は、ユーザーにより操作キー３４５が操作された場合には、前記実行条件設定処理のステップＳ１１１の処理を実行する。
【０１０３】
次に、図１０に示す表示画面３５について説明する。表示画面３５は、制御部２１によって前記実行条件送信処理のステップＳ２４の処理が実行される場合に、第２操作表示部２３に表示される。表示画面３５において、メッセージ表示欄３５１にはユーザーに対するメッセージが表示される。また、実行条件表示欄３５２には、画像形成装置１０に送信された前記実行条件情報の内容と共に、充足不可の条件が表示される。なお、制御部２１は、スクロール欄３５３に表示されたスクロールキー３５３Ａに対するユーザーの操作に応じて、実行条件表示欄３５２における表示内容を切り替える。また、制御部２１は、ユーザーにより操作キー３５５が操作された場合には、第２操作表示部２３に表示させる画面を表示画面３５から表示画面３１に遷移させる。
【０１０４】
また、表示画面３５において、操作キー３５４は、画像形成装置１０に送信される前記ジョブの実行条件の内容を変更するための操作キーである。制御部２１は、ユーザーにより操作キー３５４が操作された場合には、第２操作表示部２３に表示させる画面を表示画面３５から表示画面３３に遷移させる。
【０１０５】
［ジョブ実行制御処理］
以下、図１１を参照しつつ、画像形成装置１０において制御部１５が前記ジョブ実行制御プログラムに従って実行するジョブ実行制御処理の手順の一例について説明する。
【０１０６】
＜ステップＳ４１＞
まず、ステップＳ４１において、制御部１５は、携帯端末２０から第１操作表示部１６への給電の停止指示を受信したか否かを判断する。
【０１０７】
ここで、制御部１５は、携帯端末２０から第１操作表示部１６への給電の停止指示を受信したと判断すると（Ｓ４１のＹｅｓ側）、処理をステップＳ４２に移行させる。また、携帯端末２０から第１操作表示部１６への給電の停止指示を受信していなければ（Ｓ４１のＮｏ側）、制御部１５は、ステップＳ４１で携帯端末２０からの第１操作表示部１６への給電の停止指示の受信を待ち受ける。
【０１０８】
＜ステップＳ４２＞
ステップＳ４２において、制御部１５は、第１操作表示部１６への給電を停止させる。具体的に、制御部１５は、第１操作表示部１６のうち液晶ディスプレー、バックライト、及びタッチパネルへの給電を停止させる。ここに、ステップＳ４１及びステップＳ４２の処理は、制御部１５の給電制御部１５５により実行される。
【０１０９】
＜ステップＳ４３＞
ステップＳ４３において、制御部１５は、前記給電再開条件を充足したか否かを判断する。例えば、制御部１５は、携帯端末２０からの第１操作表示部１６への給電の再開指示の受信、及び携帯端末２０との間のＢｌｕｅｔｏｏｔｈによる無線通信の断絶のいずれかの条件を充足した場合に、前記給電再開条件が充足したと判断する。
【０１１０】
ここで、制御部１５は、前記給電再開条件を充足したと判断すると（Ｓ４３のＹｅｓ側）、処理をステップＳ４８に移行させる。また、前記給電再開条件を充足していなければ（Ｓ４３のＮｏ側）、制御部１５は、処理をステップＳ４４に移行させる。
【０１１１】
＜ステップＳ４４＞
ステップＳ４４において、制御部１５は、携帯端末２０から前記実行条件情報及び前記ジョブの実行指示を受信したか否かを判断する。
【０１１２】
ここで、制御部１５は、携帯端末２０から前記実行条件情報及び前記ジョブの実行指示を受信したと判断すると（Ｓ４４のＹｅｓ側）、処理をステップＳ４５に移行させる。また、携帯端末２０から前記実行条件情報及び前記ジョブの実行指示を受信していなければ（Ｓ４４のＮｏ側）、制御部１５は、処理をステップＳ４３に移行させる。
【０１１３】
＜ステップＳ４５＞
ステップＳ４５において、制御部１５は、携帯端末２０から受信した前記実行条件情報に画像形成装置１０において充足不可の条件が含まれているか否かを判断する。
【０１１４】
ここで、制御部１５は、受信した前記実行条件情報に充足不可の条件が含まれていると判断すると（Ｓ４５のＹｅｓ側）、処理をステップＳ４５１に移行させる。また、受信した前記実行条件情報に充足不可の条件が含まれていなければ（Ｓ４５のＮｏ側）、制御部１５は、処理をステップＳ４６に移行させる。
【０１１５】
＜ステップＳ４５１＞
ステップＳ４５１において、制御部１５は、前記不可条件情報と共に前記機種情報を携帯端末２０に送信する。ここに、ステップＳ４５及びステップＳ４５１の処理は、制御部１５の第２設定部１５３により実行される。例えば、制御部１５は、第１通信部１７を制御して携帯端末２０との間でＢｌｕｅｔｏｏｔｈによる無線通信を実行することで、前記不可条件情報及び前記機種情報を送信する。これにより、携帯端末２０を所持するユーザーに充足不可の条件が報知される。
【０１１６】
＜ステップＳ４６＞
ステップＳ４６において、制御部１５は、携帯端末２０から送信される前記ジョブの実行条件を示す実行条件情報に基づいて前記ジョブの実行条件を設定する。ここに、ステップＳ４６の処理が、本発明における第２ステップの一例であって、制御部１５の第２設定部１５３により実行される。例えば、制御部１５は、前記実行条件情報を前記ＲＡＭの予め定められた記憶領域に記憶させることで、前記ジョブの実行条件を設定する。
【０１１７】
＜ステップＳ４７＞
ステップＳ４７において、制御部１５は、ステップＳ４６で設定された前記ジョブの実行条件に従って前記ジョブを実行する。そして、制御部１５は、携帯端末２０に前記ジョブの実行完了通知を送信する。ここに、ステップＳ４７の処理は、制御部１５の第２実行部１５４により実行される。
【０１１８】
＜ステップＳ４８＞
一方、ステップＳ４３において制御部１５により前記給電再開条件を充足したと判断された場合には、ステップＳ４８の処理が実行される。ステップＳ４８において、制御部１５は、第１操作表示部１６への給電を再開させる。ここに、ステップＳ４３及びステップＳ４８の処理は、制御部１５の給電制御部１５５により実行される。
【０１１９】
このように、画像処理システム１００では、携帯端末２０の記憶部２６に記憶された前記実行条件情報を画像形成装置１０に送信することで、前記ジョブの実行条件を設定することが可能である。そのため、第１操作表示部１６に対するジョブの実行条件の設定操作の手間を軽減すると共に、第１操作表示部１６で消費される電力を低減することが可能である。
【符号の説明】
【０１２０】
１０：画像形成装置
１１：ＡＤＦ
１２：画像読取部
１３：画像形成部
１４：給紙部
１５：制御部
１５１：第１設定部
１５２：第１実行部
１５３：第２設定部
１５４：第２実行部
１５５：給電制御部
１６：第１操作表示部
１７：第１通信部
１８：第２通信部
１９：記憶部
２０：携帯端末
２１：制御部
２１１：設定操作受付部
２１２：第３記憶制御部
２１３：第３送信部
２１４：第１記憶制御部
２１５：第１送信部
２１６：第２記憶制御部
２１７：検出部
２１８：機種情報取得部
２１９：報知部
２２０：第４送信部
２２１：第２送信部
２３：第２操作表示部
２４：第１通信部
２５：第２通信部
２６：記憶部
１００：画像処理システム
【図１】
2016046658.tif 000003
【図２】
2016046658.tif 000004
【図３】
2016046658.tif 000005
【図４】
2016046658.tif 000006
【図５】
2016046658.tif 000007
【図６】
2016046658.tif 000008
【図７】
2016046658.tif 000009
【図８】
2016046658.tif 000010
【図９】
2016046658.tif 000011
【図１０】
2016046658.tif 000012
【図１１】
2016046658.tif 000013